(57)【特許請求の範囲】
【請求項１】
上端に電子部品の受入れ口を備えて上下方向に延びるメイン通路と，このメイン通路における側面のうち一つの部分に上端が開口してこの開口部から下向きに延びる第１分岐通路と，前記メイン通路における側面のうち他の部分に上端が開口してこの開口部から下向きに延びる第２分岐通路とから成り，前記メイン通路における側面のうち第１分岐通路の開口部と反対側の部分に，前記第１分岐通路内への第１空気噴出ノズルを，前記メイン通路における側面のうち第２分岐通路の開口部と反対側の部分に，前記第２分岐通路内への第２空気噴出ノズルを各々設ける一方，前記メイン通路及び両分岐通路の下端に，電子部品の排出口を設け，更に，前記第１分岐通路における前記メイン通路への開口部及びその第１空気噴出ノズルと，前記第２分岐通路における前記メイン通路への開口部及びその第２空気噴出ノズルとを，同じ高さの部位に，前記メイン通路の長手方向から見て異なった方向に向けるように設けたことを特徴とする電子部品の分別装置。
【発明の詳細な説明】
【０００１】
【発明の属する技術分野】
本発明は，チップ型の抵抗器又はコンデンサや，トランジスター等の電子部品を，例えば，複数の電気特性ランクとか，複数の寸法ランク等のように複数の種類に分別するための装置に関するものである。
【０００２】
【従来の技術】
従来，この種の電子部品の分別装置は，例えば，実開平７−３２５８０号公報又は特開平８−１０３７３４号公報等に記載されているように，電子部品を一つずつ移送する経路に回動式又は揺動回動式の分別シュータを配設し，この分別シュータが，これに第１種類に属する一つの電子部品を受け入れると，第１種類の排出位置にまで回転して，受け入れた電子部品を第１種類の位置に排出し，また，前記分別シュータが，これに第２種類に属する一つの電子部品を受け入れると，第２種類の排出位置にまで回転して，受け入れた電子部品を第２種類の位置に排出することにより，多数個の電子部品を複数の種類ごとに分別するように構成している。
【０００３】
【発明が解決しようとする課題】
しかし，この従来の電子部品の分別装置は，前記したように，一つの電子部品を分別することに，分別シュートに電子部品を一つだけ受け入れる動作と，この分別シュートを所定の位置まで回転する動作と，この分別シュートから電子部品を排出する動作とを必要とすることにより，一つの電子部品を分別することに要する時間が長く，従って，分別の速度が遅くて，コストのアップを招来するばかりか，回動式又は揺動回動式の分別シュータを必要として構造が複雑であるから，装置が大型化すると言う問題があった。
【０００４】
本発明は，これらの問題を解消した分別装置を提供することを技術的課題とするものである。
【０００５】
【課題を解決するための手段】
この技術的課題を達成するため本発明の請求項１は，
「上端に電子部品の受入れ口を備えて上下方向に延びるメイン通路と，このメイン通路における側面のうち一つの部分に上端が開口してこの開口部から下向きに延びる第１分岐通路と，前記メイン通路における側面のうち他の部分に上端が開口してこの開口部から下向きに延びる第２分岐通路とから成り，前記メイン通路における側面のうち第１分岐通路の開口部と反対側の部分に，前記第１分岐通路内への第１空気噴出ノズルを，前記メイン通路における側面のうち第２分岐通路の開口部と反対側の部分に，前記第２分岐通路内への第２空気噴出ノズルを各々設ける一方，前記メイン通路及び両分岐通路の下端に，電子部品の排出口を設け，更に，前記第１分岐通路における前記メイン通路への開口部及びその第１空気噴出ノズルと，前記第２分岐通路における前記メイン通路への開口部及びその第２空気噴出ノズルとを，同じ高さの部位に，前記メイン通路の長手方向から見て異なった方向に向けるように設ける。」
と言う構成にした。
【０００６】
【発明の作用・効果】
前記請求項１の構成において，第１空気噴出ノズル及び第２空気噴出ノズルからの空気の噴出を停止した状態で，電子部品を，メイン通路内にその上端の受入れ口から導入すると，この電子部品は，メイン通路内を通ってその下端から排出されることになり，第１空気噴出ノズルからのみ空気を噴出した状態で，電子部品を，メイン通路内にその上端の受入れ口から導入すると，この電子部品は，前記第１空気噴出ノズルから噴出する空気によって，メイン通路内から第１分岐通路内に吹き飛ばされることにより，この第１分岐通路内を通ってその下端から排出することになり，そして，第２空気噴出ノズルからのみ空気を噴出した状態で，電子部品を，メイン通路内にその上端の受入れ口から導入すると，この電子部品は，前記第２空気噴出ノズルから噴出する空気によって，メイン通路内から第２分岐通路内に吹き飛ばされることにより，この第２分岐通路内を通ってその下端から排出することになるというように，第１空気噴出ノズル及び第２空気噴出ノズルのＯＮ・ＯＦＦ制御により，三つの種類に分別できるのである。
【０００７】
このように，本発明は，電子部品の三種類への分別を，空気噴出のＯＮ・ＯＦＦ制御によって行うものであるから，前記従来のように，回動式又は揺動回動式の分別シュータを使用するものに比べて，構造が簡単で装置を大幅に小型化できるのであり，しかも，電子部品の分別が空気噴出のＯＮ・ＯＦＦ制御によって瞬時にでき，分別の速度を大幅にアップできるから，これに要するコストの低減を確実に達成できる効果を有する。
【０００８】
【発明の実施の形態】
以下，本発明の実施の形態を，図１〜図４の図面について説明する。
【０００９】
この図において，符号１は，内部に上下方向に延びるメイン通路２を有するメインパイプを示し，このメインパイプ１は，矩形断面であり，その上端には，前記メイン通路２内への電子部品Ａの受入れ口２ａが，下端には，前記メイン通路２からの電子部品Ａの排出口２ｂが各々設けられている。
【００１０】
符号３は，前記メインパイプ１における四つの側面のうち一つの側面に固着した第１ヘッドを，符号４は，前記メインパイプ１における四つの側面のうち前記一つの側面に隣接する別の側面に固着した第２ヘッドを各々示す。この場合，前記第１ヘッド３と，前記第２ヘッド４とは，前記メインパイプ１のうち同じ高さの部位に設けられている。
【００１１】
前記第１ヘッド３の内部には，一端に前記メインパイプ１におけるメイン通路２内への開口部５ａを有する第１分岐通路５が，下向きに湾曲するように形成され，且つ，この第１ヘッド３の下面には，前記第１分岐通路５からの電子部品Ａの排出口５ｂが各々設けられている。
【００１２】
また，前記第２ヘッド４の内部には，一端に前記メインパイプ１におけるメイン通路２内への開口部６ａを有する第２分岐通路６が，下向きに湾曲するように形成され，且つ，この第２ヘッド４の下面には，前記第２分岐通路６からの電子部品Ａの排出口６ｂが各々設けられている。
【００１３】
そして，前記メインパイプ１における四つの側面のうち前記第１ヘッド３における第１分岐通路５のメイン通路２への開口部５ａと反対側の側面には，前記第１分岐通路５内に向かって空気を噴出するようにした第１空気噴出ノズル７が設けられ，また，前記メインパイプ１における四つの側面のうち前記第２ヘッド４における第２分岐通路６のメイン通路２への開口部６ａと反対側の側面には，前記第２分岐通路６内に向かって空気を噴出するようにした第２空気噴出ノズル８が設けられている。
【００１４】
そして，前記第１ヘッド３における第１分岐通路５のメイン通路２への開口部５ａ及び第１空気噴出ノズル７と，前記第２ヘッド４における第２分岐通路６のメイン通路２への開口部６ａ及び第１空気噴出ノズル８とは，前記メインパイプ１に長手方向から見て９０度だけずれるように異なった方向を向くように構成されている。
【００１５】
なお，前記第１空気噴出ノズル７及び第２空気噴出ノズル８の各々には，空気の噴出をＯＮ・ＯＦＦ制御するためのバルブ９，１０が設けられている。
【００１６】
この構成において，第１空気噴出ノズル７及び第２空気噴出ノズル８からの空気を噴出を停止した状態で，電子部品Ａをメイン通路２内に，その上面における受入れ口２ａから導入すると，この電子部品Ａは，図３及び図４に点線矢印Ｂで示すように，メイン通路２内を通ってその下端の排出口２ｂから排出される。
【００１７】
また，両空気噴出ノズル７，８のうち第１空気噴出ノズル７からのみ空気を噴出した状態で，電子部品Ａを，メイン通路２内に，その上面における受入れ口２ａから導入すると，この電子部品Ａは，図２及び図３に二点鎖線矢印Ｃで示すように，前記第１空気噴出ノズル７から噴出する空気にてメイン通路２内から第１分岐通路５内に吹き飛ばされ，第１分岐通路５内を通ってその下端の排出口５ｂから排出される。
【００１８】
更にまた，両空気噴出ノズル７，８のうち第２空気噴出ノズル８からのみ空気を噴出した状態で，電子部品Ａを，メイン通路２内に，その上面における受入れ口２ａから導入すると，この電子部品Ａは，図２及び図４に一点鎖線矢印Ｄで示すように，前記第２空気噴出ノズル８から噴出する空気にてメイン通路２内から第２分岐通路６内に吹き飛ばされ，第２分岐通路６内を通ってその下端の排出口６ｂから排出される。
【００１９】
つまり，メイン通路２の上端における受入れ口２ａから供給される電子部品Ａを，前記第１空気噴出ノズル７及び第２空気噴出ノズル８のＯＮ・ＯＦＦ制御により，三つの種類に分別できるのである。
【図面の簡単な説明】
【図１】  本発明の実施の形態を示す斜視図である。
【図２】  本発明の実施の形態を示す平面図である。
【図３】  図１及び図２のIII −III 視断面図である。
【図４】  図１及び図２のIV−IV視断面図である。
【符号の説明】
Ａ                      電子部品
１                      メイン管
２                      メイン通路
２ａ                    受入れ口
２ｂ                    排出口
５                      第１分岐通路
５ａ                    開口部
５ｂ                    排出口
６                      第２分岐通路
６ａ                    開口部
６ｂ                    排出口
７                      第１空気噴出ノズル
８                      第２空気噴出ノズル
【図１】
0003673381.tif 000002
【図２】
0003673381.tif 000003
【図３】
0003673381.tif 000004
【図４】
0003673381.tif 000005